(57)【要約】【課題】  異なる複数の方向から風が吹き込むような裸地であっても、砂塵の飛砂を防止できる構造を提供する。【解決手段】  裸地からの飛砂を防止する飛砂防止構造１０は、異なる二方向において、植生が施された植生領域２０と、植生が施されていない非植生領域３０とが交互に存在するように、裸地に植生領域２０が設けられている。各植生領域２０は長方形状を呈し、複数の植生領域２０がその長辺が平行になるとともに、その角部同士が接するように配置されている。【選択図】  図１
2011147358.tif 000002
【特許請求の範囲】
【請求項１】
裸地からの飛砂を防止する構造であって、
異なる二方向において、植生が施された植生領域と、植生が施されていない非植生領域とが交互に存在するように、前記裸地に前記植生領域が設けられたことを特徴とする飛砂防止構造。
【請求項２】
請求項１記載の飛砂防止構造であって、
前記植生領域は長方形状を呈し、
複数の前記植生領域がその長辺が平行になるとともに、その角部同士が接するように配置されていることを特徴とする飛砂防止構造。
【請求項３】
請求項２記載の飛砂防止構造であって、
前記裸地には、特定の方向に強風が吹き込み、
前記植生領域は、その長辺が前記特定の方向と略直交するように配置されていることを特徴とする飛砂防止構造。
【請求項４】
請求項１記載の飛砂防止構造であって、
前記植生領域は、所定の方向に所定の長さだけ延びる帯状部と、前記所定の方向と直交する方向に前記帯状部の幅に相当する長さだけ延びる接続部と、が交互に並んで構成され、
この植生領域が前記直交する方向に間隔をあけて複数配置されてなることを特徴とする飛砂防止構造。
【請求項５】
請求項１記載の飛砂防止構造であって、
帯状の前記植生領域が、渦巻状に連続的に延びるように配置されていることを特徴とする飛砂防止構造。
【発明の詳細な説明】
【技術分野】
【０００１】
本発明は、裸地からの飛砂を防止するための飛砂防止構造に関する。
【背景技術】
【０００２】
施設などを造成する前の裸地（以下、造成裸地という）などにおいて、長期に亘って地表面がむき出しの状態になると、砂塵が飛散して、周辺環境に悪影響を及ぼすこととなる。特に、冬期には空気が乾燥するとともに北西から強風が吹き込むため、砂塵が飛散し易くなる。
【０００３】
このような砂塵の飛散を防止する方法として、例えば、造成裸地全体に植生を施す方法が用いられている。しかしながら、植生に適した時期は梅雨明け前の２．５ヶ月間程度と秋から初冬にかけての１．５ヶ月間程度と限られており、造成裸地が広大な場合には、この期間内に植生を施すべく、多数の耕運機を用いなければならず、コスト増加の原因となっている。
【０００４】
このような飛砂防止構造として、例えば、特許文献１には、砂地表面の一部に固化材を配合し、それらを混練し、加圧することにより成形し、種子植物を含有させた成形体を一定間隔で砂地表面に分散配置することが記載されている。そこで、これと同様に、植生領域を分散配置することで、植生領域を減らし、コストを削減することが考えられる。
【先行技術文献】
【特許文献】
【０００５】
【特許文献１】特開２００４―１８３２５６号公報
【発明の概要】
【発明が解決しようとする課題】
【０００６】
しかしながら、特許文献１の図３に示されているような分散配置では、図中上下方向に延びる成形体が左右方向に間隔をあけて配置されているため、図中左右方向の風の流れは防止できるものの、図中上下方向には成形体の間を風が通り抜けることができる。このため、例えば、夏期には南西から風が吹き込み、冬期には北西から風が吹き込むなど、風向が変化するような場合には、特許文献１の構成では、十分に飛砂を防止することができなかった。
【０００７】
本発明は、上記の問題に鑑みなされたものであり、その目的は、異なる複数の方向から風が吹き込むような裸地であっても、砂塵の飛砂を防止できる構造を提供することである。
【課題を解決するための手段】
【０００８】
本発明の飛砂防止構造は、異なる二方向において、植生が施された植生領域と、植生が施されていない非植生領域とが交互に存在するように、前記裸地に前記植生領域が設けられたことを特徴とする。
【０００９】
上記の飛砂防止構造において、前記植生領域は長方形状を呈し、複数の前記植生領域がその長辺が平行になるとともに、その角部同士が接するように配置されていてもよい。
また、前記裸地には、特定の方向に強風が吹き込み、前記植生領域は、その長辺が前記特定の方向と略直交するように配置されていてもよい。
【００１０】
また、前記植生領域は、所定の方向に所定の長さだけ延びる帯状部と、前記所定の方向と直交する方向に前記帯状部の幅に相当する長さだけ延びる接続部と、が交互に並んで構成され、  この植生領域が前記直交する方向に間隔をあけて複数配置されてなるものであってもよい。
また、帯状の前記植生領域が、渦巻状に連続的に延びるように配置されていてもよい。
【発明の効果】
【００１１】
本発明によれば、異なる二方向において、植生が施された植生領域と、植生が施されていない非植生領域とを交互に配置することにより、植生領域の植生が非植生領域の風除けとして機能するため、異なる複数の方向から風が吹き込むような裸地であっても、風が通り抜けるのを防止できるので砂塵の飛砂を防止できる。
【図面の簡単な説明】
【００１２】
【図１】本実施形態の飛砂防止構造を示す図である。
【図２】敷地における冬期の風の流れを示し、（Ａ）は平面図、（Ｂ）は風の流れに沿った断面図、（Ｃ）は、風の流れに対して直交方向の断面図である。
【図３】敷地における夏期の風の流れを示し、（Ａ）は平面図、（Ｂ）は風の流れに沿った断面図、（Ｃ）は、風の流れに対して直交方向の断面図である。
【図４】図１における植生領域の角部を連続させる構成とした飛砂防止構造を示す図である。
【図５】各植生領域をくの字状に形成した飛砂防止構造を示す図である。
【図６】くの字状に形成した植生領域を複数連続させた飛砂防止構造を示す図である。
【図７】植生領域を渦巻き状に形成した飛砂防止構造を示す図である。
【図８】（Ａ）は植生領域を渦巻き状にし、植生領域の一部の植生を高くした場合を示し、（Ｂ）は非植生領域の一部に新たに植生領域を設けた場合を示す図である。
【発明を実施するための形態】
【００１３】
以下、本発明の飛砂防止構造の一実施形態を図面を参照しながら詳細に説明する。
図１は、本実施形態の飛砂防止構造１０を示す図である。本実施形態では、図１に示すような、長方形状の敷地１の飛砂を防止する場合を例として説明する。なお、本実施形態では敷地１は造成地であるが、これに限らず牧草地などであってもよい。この敷地１には、冬期には、北西から南東に向かって夏期の風に比べて強く乾燥した風が吹き、夏期には、南よりの風が吹く。
【００１４】
同図に示すように、本実施形態の飛砂防止構造１０は、複数の長方形状の植生が施された植生領域２０により構成される。各植生領域２０は、長辺が北東と南西とを結ぶ方向と平行になるとともに、短辺が北西と南東とを結ぶ方向と平行になるように配置されており、各植生領域２０はその角部同士が接している。かかる構成により、上記２方向の何れかにおいても、植生が施された植生領域２０と植生が施されていない（すなわち、裸地のままである）非植生領域３０とが交互に並ぶように配置されている。本実施形態では、各植生領域２０の長辺は５０ｍ、短辺は２．２５ｍであり、植生領域２０の短辺は、耕運機の耕運幅と等しくなっている。なお、各植生領域２０の長辺及び短辺の長さはこれに限られない。
【００１５】
各植生領域２０は、ケンタッキーブルーグラスと、ハイランドベントグラスと、ホワイトクローバーとが混合して植生されている。ホワイトクローバーは、根が幅広く広がるため、この根により砂を保持する。また、これらの植生は、３０ｃｍ程度の高さにまで生長し、風除けとして機能する。本実施形態では、植生として生長した状態で３０ｃｍ程度の高さとなる植物を植生として用いたが、これは、これ以上の高さまで生長するような植物だと、敷地に建物等を建築するべく植生を撤去する際に手間がかかってしまい、これ以下の高さであると十分な風除けとしての効果が得られないためである。
【００１６】
かかる植生構造１０は、梅雨明け前の２．５ヶ月間と秋から初冬にかけての１．５ヶ月間の何れかの期間内に、耕運機により植生領域２０に当たる部分を耕すとともに、耕した部分にケンタッキーブルーグラスの種子と、ハイランドベントグラスの種子と、ホワイトクローバーの種子と、肥料とを混合したものを散布することにより構成することができる。この際、各植生領域２０の幅を耕運機の幅と等しくすることで、各植生領域２０を耕運機の一回の走行で短期間に形成できる。なお、植生領域２０に植えられる植物の種類は上記のものに限られない。
【００１７】
図２は、この敷地１における冬期の風の流れを示す図であり、（Ａ）は平面図、（Ｂ）は風の流れに沿った断面図、（Ｃ）は、風の流れに対して直交方向の断面図である。同図（Ａ）に示すように、この敷地１には、冬期には、北西から南東に向かって風が吹くこととなる。これに対して、同図（Ｂ）に示すように、この風向きに沿って、２．２５ｍ間隔で植生領域２０と、非植生領域３０とが交互に並ぶこととなる。このため、各非植生領域３０の風上側の植生領域２０が風除けとして機能するため、非植生領域３０からの飛砂を防止できる。
【００１８】
また、冬期の風は夏期に比べて強いが、上記のように北西と南東とを結ぶ方向には、非植生領域３０の幅は２．２５ｍの幅であり、植生領域１０の植生は３０ｃｍ程度まで生長している。すなわち、植生の高さに対する非植生領域３０の風向き方向の長さが小さいので、風は非植生領域３０の地表面まで到達しにくく、冬期の強風に対しても十分風除けとして機能する。
【００１９】
夏期には、敷地１には南よりの風、すなわち、南東からの風や南西からの風が吹く。南東から北西に向かって風が吹いた場合には、冬期の風と逆向きに風が吹くこととなり、冬期と同様に各非植生領域３０の風上側の植生領域２０が風除けとして機能するため、非植生領域３０からの飛砂を防止できる。
また、図３（Ａ）に示すように、南西から北東に向かって風が吹いた場合には、同図（Ｂ）に示すように、この風向きに沿って、５０ｍ間隔で植生領域２０と、非植生領域３０とが交互に並ぶこととなる。このため、各非植生領域３０の風上側の植生領域２０が風除けとして機能するため、非植生領域３０からの飛砂を防止できる。
【００２０】
そして、冬期及び夏期に共通して、風向きと直交する方向において、非植生領域３０の両側には植生領域２０が存在する。このため、図２（Ｃ）及び図３（Ｃ）に示すように、非植生領域３０の風向きに垂直な方向には何れかの植生領域２０が存在することとなる。また、各植生領域２０はその角部が他の植生領域２０の角隅部と接しているため、複数の植生領域２０が風向きに対して直交する方向に隙間無く存在することとなる。これにより、これら植生領域２０が連続した風除けとして機能するため、非植生領域３０からの飛砂をより効果的に防止できる。
【００２１】
以上説明したように、本実施形態によれば、直交する二方向において、それぞれ、植生領域２０と非植生領域３０とが交互に存在することとなる。これにより、夏期及び冬期の何れの季節の風に対しても、風向きに沿って、植生領域２０と非植生領域３０とが交互に存在するため、植生領域２０の植生が非植生領域３０に対する風除けとして機能するとともに、植生領域２０の植生の根が広がって砂を保持するため、敷地全体の飛砂を防止できる。さらに、これら植生領域２０の角部が他の植生領域２０の角部と接しているため、確実に風の流れを妨げることが可能となる。
【００２２】
また、本実施形態によれば、冬期の風の吹き込む方向に対して、非植生領域３０の長さが小さいため、冬期の乾燥し、強い風に対しても飛砂を防止することができる。
また、植生領域２０が敷地１の面積の半分程度であるので、短期で植生を施すことができ、コストを削減できる。
【００２３】
さらに、時間の経過とともに、植生領域２０の植物が非植生領域３０に進出する。これにより、非植生領域３０が小さくなるため、より、飛砂を防止することができる。
【００２４】
なお、本実施形態では、図１に示すように、植生領域２０を配置したが、これに限らず、図４に示すように、図１において角部が当接していた植生領域２０を連続させる構成としてもよい。すなわち、各植生領域は帯状に形成され、一方向に所定の長さ延びる帯状部と、一方向と直交する方向に帯状部の幅に相当する長さ延びる接続部とが交互に並んで構成されている。これにより、連続的に耕運機により植生作業を行うことができ、作業効率が向上する。
【００２５】
また、植生領域２０は、上記実施形態のように、直線状に形成する必要はなく、図５に示すように、くの字状に形成してもよいし、さらに、図６に示すように、くの字状の植生領域２０を複数連続させてもよい。
【００２６】
また、図７に示すように、植生領域２０を渦巻き状に形成してもよく、要するに、互いに直交する二方向において、植生領域２０と非植生領域３０とが交互に並ぶように配置すればよい。さらに、図７に示すように植生領域２０を渦巻き状に形成した場合において、例えば、北から南に向かって風が吹く場合には、図８（Ａ）のＩ部のように、非植生領域３０において風向き方向に長距離に亘って延びる部分が存在する。このような場合には、同図に示すように、植生領域２０のＩ部の風上側の部分（ＩＩ部）の植生を高くしてもよいし、同図（Ｂ）に示すように、このような非植生領域３０の中間に新たに植生領域１２０を設けてもよい。
【００２７】
また、本実施形態では、長方形状の敷地１を対象としたが、これに限らず、いかなる形状の敷地に対しても本発明を適用できる。
【００２８】
また、本実施形態では、冬期には北西から南東に向かって強い風が吹き、夏期には南よりの風が吹く敷地１について説明したが、これに限らず、年間を通して一方向に風が吹くような敷地や、年間を通して風向きが変化するような敷地にも本発明を適用できる。
【符号の説明】
【００２９】
１  敷地
１０  植生構造
２０  植生領域
３０  非植生領域
【図１】
2011147358.tif 000003
【図２】
2011147358.tif 000004
【図３】
2011147358.tif 000005
【図４】
2011147358.tif 000006
【図５】
2011147358.tif 000007
【図６】
2011147358.tif 000008
【図７】
2011147358.tif 000009
【図８】
2011147358.tif 000010